(57)【要約】【課題】  印刷ジョブに係わる文書の重要個所属性、スタンプ位置若しくはフォーマットのいずれに応じて三つ折りの複数の折りモードのいずれかを自動選択して用紙折り装置に指示することで三つ折りを指示した印刷処理の操作性を向上させた印刷制御装置および方法およびプログラムを提供する。【解決手段】  ジョブ受け付け部３１で印刷ジョブを受け付け、ジョブ処理部３３でこの受け付けた印刷ジョブに係わる文書の重要個所属性、スタンプ位置若しくはフォーマットのいずれに応じて前記三つ折りの複数の折りモードのいずれかを折りモード選択手段により自動選択し、この選択した折りモードをプリンタ制御部３４によりプリンタ４０に指示する。【選択図】  図１
2005219868.tif 000002
【特許請求の範囲】
【請求項１】
印刷済み用紙を三つ折りする紙折り装置を後処理装置として備えた印刷装置を制御する印刷制御装置において、
印刷ジョブを受け付ける印刷ジョブ受付手段と、
前記印刷ジョブ受付手段で受け付けた印刷ジョブに係わる文書の重要個所属性、スタンプ位置若しくはフォーマットのいずれに応じて前記三つ折りの複数の折りモードのいずれかを自動選択する折りモード選択手段と、
前記折りモード選択手段で選択した折りモードを前記印刷装置に指示する紙折り指示手段と
を具備することを特徴とする印刷制御装置。
【請求項２】
前記複数の折りモードは、
印刷面の上部若しくは左部を最上面としてＺ折りする第１の折りモードと、
印刷面を中部を最上面としてＣ折りする第２の折りモードと、
印刷面の下部若しくは右部を最上面としてＺ折りする第３の折りモードと
を有し、
前記折りモード選択手段は、
前記重要個所属性の示す該文書の重要個所が最上面となるように前記第１乃至第３の折りモードのうちのいずれかを選択する
ことを特徴とする請求項１記載の印刷制御装置。
【請求項３】
前記複数の折りモードは、
印刷面の上部若しくは左部を最上面としてＺ折りする第１の折りモードと、
印刷面を中部を最上面としてＣ折りする第２の折りモードと、
印刷面の下部若しくは右を最上面としてＺ折りする第３の折りモードと
を有し、
前記折りモード選択手段は、
前記スタンプ位置が最上面となるように前記前記第１乃至第３の折りモードのうちのいずれかを選択する
ことを特徴とする請求項１記載の印刷制御装置。
【請求項４】
前記複数の折りモードは、
印刷面の上部若しくは左部を最上面としてＺ折りする第１の折りモードと、
印刷面を内側にして三つ折りする第４の折りモードと
を有し、
前記折りモード選択手段は、
前記フォーマットが文書の隠蔽性が要求されるフォーマットである場合は前記第４の折りモードを選択し、隠蔽性が要求されないフォーマットである場合は前記第１の折りモードを選択する
ことを特徴とする請求項１記載の印刷制御装置。
【請求項５】
前記折りモード選択手段は、
予め設定された前記重要個所属性、前記スタンプ位置若しくは前記フォーマットの優先度に基づき前記折りモードを選択する
ことを特徴とする請求項１記載の印刷制御装置。
【請求項６】
前記折りモード選択手段は、
前記印刷ジョブ受付手段で受け付けた印刷ジョブに係わる文書の重要個所属性、スタンプ位置若しくはフォーマットおよび該文書が横文書か縦文書かの情報に応じて選択する折りモードを記憶する折りモードテーブル
を有し、
前記折りモードテーブルの記憶に基づき前記折りモードを選択する
ことを特徴とする請求項１乃至５のいずれかに記載の印刷制御装置。
【請求項７】
印刷済み用紙を三つ折りする紙折り装置を後処理装置として備えた印刷装置を制御する印刷制御装置の制御方法において、
印刷ジョブを印刷ジョブ受付手段により受け付け、
前記印刷ジョブ受付手段で受け付けた印刷ジョブに係わる文書の重要個所属性、スタンプ位置若しくはフォーマットのいずれに応じて前記三つ折りの複数の折りモードのいずれかを折りモード選択手段により自動選択し、
前記折りモード選択手段で選択した折りモードを紙折り指示手段により前記印刷装置に指示する
ことを特徴とする印刷制御方法。
【請求項８】
印刷済み用紙を三つ折りする紙折り装置を後処理装置として備えた印刷装置を制御する印刷制御装置の印刷制御をコンピュータに実行させる印刷制御プログラムにおいて、
印刷ジョブを受け付けるステップと、
該受け付けた印刷ジョブに係わる文書の重要個所属性、スタンプ位置若しくはフォーマットのいずれに応じて前記三つ折りの複数の折りモードのいずれかを自動選択するステップと、
該自動選択した折りモードを前記印刷装置に指示するステップと
を含むことを特徴とする印刷制御プログラム。
【発明の詳細な説明】
【技術分野】
【０００１】
本発明は、印刷済み用紙を三つ折りする紙折り装置を後処理装置として備えた印刷装置の印刷制御に関し、特に、印刷ジョブに係わる文書の重要個所属性、スタンプ位置若しくはフォーマットのいずれに応じて三つ折りの複数の折りモードのいずれかを自動選択して印刷装置に指示することで、後処理として三つ折りを行う印刷処理の操作性を向上させた印刷制御装置および方法およびプログラムに関する。
【背景技術】
【０００２】
昨今の印刷装置には、二つ折りや三つ折りなど紙折り装置を後処理装置として備えたものが多く、この紙折り装置は、用途に応じて使い分けられている。
【０００３】
そして、従来、特許文献１に開示されているように、紙折り装置の二つ折り機能を利用する際に、画像の内容を他人に見られないようにするために、印刷面を内側にして折るか外側にして折るかをモードとして指定できるようにした画像形成システムが提案されている。
【０００４】
この特許文献１に開示された画像形成システムにおいては、片面に印刷したシートについて、画像を内側にした二つ折りが可能であり、さらに、折ったシートの開放側端部付近を綴じることで容易に折ったシートを開くことができない隠蔽モードが設定でき、このようなモード設定を可能とすることで、画像形成した画像を他人に見られたくないという使用者の要求に十分に答えることができる。
【特許文献１】特開２００１−０５８７５８号公報
【発明の開示】
【発明が解決しようとする課題】
【０００５】
しかし、特許文献１に開示された画像形成システムにおいては、三つ折りを考慮した構成は採用していない。
【０００６】
したがって、特許文献１に示されたような構成では、前述したような隠蔽モード等に対応した処理を三つ折りに対して行うことは困難であり、結局、印刷済み用紙を三つ折りする場合は、手作業で折るか、もしくは文書を分割して折りを指定する等の作業が必要とされた。
【０００７】
そこで、本発明は、後処理装置としての紙折り装置に対する折りモードの指示を自動的に行うことができるようにして操作性の向上を図った印刷制御装置および方法およびプログラムを提供することを目的とする。
【課題を解決するための手段】
【０００８】
上記目的を達成するため、請求項１の発明は、印刷済み用紙を三つ折りする紙折り装置を後処理装置として備えた印刷装置を制御する印刷制御装置において、印刷ジョブを受け付ける印刷ジョブ受付手段と、前記印刷ジョブ受付手段で受け付けた印刷ジョブに係わる文書の重要個所属性、スタンプ位置若しくはフォーマットのいずれに応じて前記三つ折りの複数の折りモードのいずれかを自動選択する折りモード選択手段と、前記折りモード選択手段で選択した折りモードを前記印刷装置に指示する紙折り指示手段とを有することを特徴とする。
【０００９】
また、請求項２の発明は、請求項１の発明において、前記複数の折りモードは、印刷面の上部若しくは左部を最上面としてＺ折りする第１の折りモードと、印刷面を中部を最上面としてＣ折りする第２の折りモードと、印刷面の下部若しくは右部を最上面としてＺ折りする第３の折りモードとを有し、前記折りモード選択手段は、前記重要個所属性の示す該文書の重要個所が最上面となるように前記第１乃至第３の折りモードのうちのいずれかを選択することを特徴とする。
【００１０】
また、請求項３の発明は、請求項１の発明において、前記複数の折りモードは、印刷面の上部若しくは左部を最上面としてＺ折りする第１の折りモードと、印刷面を中部を最上面としてＣ折りする第２の折りモードと、印刷面の下部若しくは右部を最上面としてＺ折りする第３の折りモードとを有し、前記折りモード選択手段は、前記スタンプ位置が最上面となるように前記第１乃至第３の折りモードのうちのいずれかを選択することを特徴とする。
【００１１】
また、請求項４の発明は、請求項１の発明において、前記複数の折りモードは、印刷面の上部を最上面としてＺ折りする第１の折りモードと、印刷面を内側にして三つ折りする第４の折りモードとを有し、前記折りモード選択手段は、前記フォーマットが文書の隠蔽性が要求されるフォーマットである場合は前記第４の折りモードを選択し、隠蔽性が要求されないフォーマットである場合は前記第１の折りモードを選択することを特徴とする。
【００１２】
また、請求項５の発明は、請求項１の発明において、前記折りモード選択手段は、予め設定された前記重要個所属性、前記スタンプ位置若しくは前記フォーマットの優先度に基づき前記折りモードを選択することを特徴とする。
【００１３】
また、請求項６の発明は、請求項１乃至５のいずれかの発明において、前記折りモード選択手段は、前記印刷ジョブ受付手段で受け付けた印刷ジョブに係わる文書の重要個所属性、スタンプ位置若しくはフォーマットおよび該文書が横文書か縦文書かの情報に応じて選択する折りモードを記憶する折りモードテーブルを有し、前記折りモードテーブルの記憶に基づき前記折りモードを選択することを特徴とする。
【００１４】
また、請求項７の発明は、印刷済み用紙を三つ折りする紙折り装置を後処理装置として備えた印刷装置を制御する印刷制御装置の制御方法において、印刷ジョブを印刷ジョブ受付手段により受け付け、前記印刷ジョブ受付手段で受け付けた印刷ジョブに係わる文書の重要個所属性、スタンプ位置若しくはフォーマットのいずれに応じて前記三つ折りの複数の折りモードのいずれかを折りモード選択手段により自動選択し、前記折りモード選択手段で選択した折りモードを紙折り指示手段により前記印刷装置に指示することを特徴とする。
【００１５】
また、請求項８の発明は、印刷済み用紙を三つ折りする紙折り装置を後処理装置として備えた印刷装置を制御する印刷制御装置の印刷制御をコンピュータに実行させる印刷制御プログラムにおいて、印刷ジョブを受け付けるステップと、該受け付けた印刷ジョブに係わる文書の重要個所属性、スタンプ位置若しくはフォーマットのいずれに応じて前記三つ折りの複数の折りモードのいずれかを自動選択するステップと、該自動選択した折りモードを前記印刷装置に指示するステップとを含むことを特徴とする。
【発明の効果】
【００１６】
本発明の印刷制御装置および方法およびプログラムによれば、印刷ジョブ受付手段で受け付けた印刷ジョブに係わる文書の重要個所属性、スタンプ位置若しくはフォーマットのいずれに応じて前記三つ折りの複数の折りモードのいずれかを折りモード選択手段により自動選択して印刷装置に指示するように構成したので、後処理として三つ折りを行う印刷処理の操作性を向上させることができるという効果を奏する。
【発明を実施するための最良の形態】
【００１７】
以下、本発明に係わる印刷制御装置および方法およびプログラムの実施例を添付図面を参照して詳細に説明する。
【００１８】
図１は、本発明に係わる印刷制御装置および方法およびプログラムを適用して構成した印刷制御システムの一実施例を示すブロック図である。
【００１９】
図１において、この印刷制御システム１００は、複数のクライアントＰＣ（パーソナルコンピュータ）１１−１、１１−２、…１１−ｎと、プリントサーバ３０と、プリンタ４０とをネットワーク２０を介して接続して構成される。
【００２０】
ここで、プリンタ４０は、後処理装置として紙折り装置４１を有しており、プリンタ４０によって印刷出力された印刷済の用紙はこの紙折り装置４１で所望の折り方法で折られて排紙されるように構成されている。
【００２１】
複数のクライアントＰＣ１１−１、１１−２、…１１−ｎ（以下、「クライアントＰＣ１１」という。）は、プリントサーバ３０に対して紙折り指示を含む印刷ジョブを送信する。
【００２２】
プリントサーバ３０は、クライアントＰＣ１１からの印刷ジョブを受け付けるジョブ受け付け部３１と、ジョブ管理部３２と、ジョブ処理部３３と、プリンタ制御部３４と、ジョブ処理部３３におけるジョブ処理に必要なテーブルを格納するテーブル保存部３５とを具備して構成される。
【００２３】
この実施例の印刷制御システムにおいては、プリントサーバ３０がクライアントＰＣ１１からの三つ折り紙折り指示を含む印刷ジョブを受け付けると、プリントサーバ３０で印刷ジョブに係わる文書の重要個所属性、スタンプ位置若しくはフォーマットに基づき三つ折りの最適折モードを自動決定してプリンタ４０に指示することで、後処理として三つ折りを伴う印刷処理の操作性を向上させている。
【００２４】
このプリントサーバ３０における折モードの自動決定処理は、テーブル保存部３５に格納された折モードテーブルを参照してジョブ処理部３３で行われ、このジョブ処理部３３で決定された折モードは、プリンタ制御部３４からプリンタ４０に指示される。
【００２５】
さて、この実施例の印刷制御システムの詳細処理を説明する前に、この実施例で採用する三つ折りの折モードについて説明する。
【００２６】
一般に、三つ折りとしては、印刷面を内側若しくは外側にして三つ折りするＣ折りと、印刷面の少なくとも一部を外側にして三つ折りするＺ折りが知られているが、この明細書では、印刷面を内側にしてＣ折りするモードを「内折りＡ」、印刷面を外側にしてＣ折りするモードを「内折りＢ」、印刷面の上部若しくは左部を最上面としてＺ折りするモードを「外折りＡ」、印刷面の下部若しくは右部を最上面としてＺ折りするモードを「外折りＢ」と定義する。
【００２７】
図２は、上記三つ折りの４つの折モード
１）内折りＡ
２）内折りＢ
３）外折りＡ
４）外折りＢ
を説明する図である。
【００２８】
図２においては、上記三つ折りの４つの折モードの理解を容易にするために、用紙１３００の印刷面を３つの領域に「Ｘ」、「Ｙ」、「Ｚ」に分割し、この用紙１３００を折り線１３０１、１３０２に沿って三つ折りする場合について示す。
【００２９】
図２（ｂ）は、上記「内折りＡ」を説明する図で、この「内折りＡ」においては、図２（ａ）に示した用紙１３００の印刷面を正面に見て、まず、折り線１３０２に沿って谷折りし（状態１３１０）、次に、折り線１３０１に沿って谷折りする（状態１３１１）。
【００３０】
これにより、印刷面を内側にした「内折りＡ」が形成される。
【００３１】
この「内折りＡ」は、印刷面を隠蔽するのに適した折モードである。
【００３２】
図２（ｃ）は、上記「内折りＢ」を説明する図で、この「内折りＢ」においては、図２（ａ）に示した用紙１３００の印刷面を正面に見て、まず、折り線１３０２に沿って山折りし（状態１３２０）、次に、折り線１３０１に沿って山折りする（状態１３２１）。
【００３３】
これにより、印刷面の領域「Ｙ」を最上面として「内折りＢ」が形成される。
【００３４】
この「内折りＢ」は、印刷面の中部を最上面として三つ折りするのに適した折モードである。
【００３５】
図２（ｄ）は、上記「外折りＡ」を説明する図で、この「外折りＡ」においては、図２（ａ）に示した用紙１３００の印刷面を正面に見て、まず、折り線１３０１に沿って山折りし（状態１３３０）、次に、折り線１３０２に沿って谷折りする（状態１３３１）。
【００３６】
これにより、印刷面の領域「Ｘ」を最上面とした「外折りＡ」が形成される。
【００３７】
この「外折りＡ」は、縦文書（行の進む方向が用紙に対して上から下の縦の文書）の場合は印刷面の上部、横文書（行の進む方向が用紙に対して右から左の横の文書）の場合は印刷面の左部の領域を最上面にして三つ折りするのに適した折モードである。
【００３８】
図２（ｅ）は、上記「外折りＢ」を説明する図で、この「外折りＢ」においては、図２（ａ）に示した用紙１３００の印刷面を正面に見て、まず、折り線１３０２に沿って山折りし（状態１３４０）、次に、折り線１３０１に沿って谷折りする（状態１３４１）。
【００３９】
これにより、印刷面の領域「Ｚ」を最上面とした「外折りＢ」が形成される。
【００４０】
この「外折りＢ」、縦文書の場合は印刷面の下部、横文書の場合は印刷面の右部を最上面として三つ折りするのに適した折モードである。
【００４１】
次に、上記三つ折りの４つの折モードを用いた図１に示した印刷制御システム１００における印刷制御処理の詳細について説明する。
【実施例１】
【００４２】
実施例１においては、図１に示した印刷制御システム１００において、クライアントＰＣ１１から印刷ジョブに文書の重要個所を示す重要個所属性を付与し、このクライアントＰＣ１１により付与された重要個所属性に基づき文書の重要個所が最上面になるように三つ折りの折モードを自動決定して印刷制御を行う。
【００４３】
図３は、印刷ジョブに係わる文書が縦文書である場合におけるこの実施例１により自動決定される折モードを説明する図である。
【００４４】
図３（ａ）は、重要個所属性により縦文書の印刷面の重要個所が上部に存在すると指定されている場合に、自動決定される折モードを示すもので、この場合は、折りモードとして「外折りＡ」が決定される。
【００４５】
この場合、図３（ａ）に示すように、まず、印刷面２０１を上にして、折り線２０３に沿って山折りされ、次に、折り線２０４に沿って谷折りされる。
【００４６】
これにより、重要個所が存在する印刷面の上部が最上面となる状態２０２に示す三つ折りが行われる。
【００４７】
図３（ｂ）は、重要個所属性により縦文書の印刷面の重要個所が中部に存在すると指定されている場合に、自動決定される折モードを示すもので、この場合は、折りモードとして「内折りＢ」が決定される。
【００４８】
この場合、図３（ｂ）に示すように、まず、印刷面２１１を上にして、折り線２１４に沿って山折りされ、次に、折り線２１３に沿って山折りされる。
【００４９】
これにより、重要個所が存在する印刷面の中部が最上面となる状態２１２に示す三つ折りが行われる。
【００５０】
図３（ｃ）は、重要個所属性により縦文書の印刷面の重要個所が下部に存在すると指定されている場合に、自動決定される折モードを示すもので、この場合は、折りモードとして「外折りＢ」が決定される。
【００５１】
この場合、図３（ｃ）に示すように、まず、印刷面２２１を上にして、折り線２２４に沿って山折りされ、次に、折り線２２３に沿って谷折りされる。
【００５２】
これにより、重要個所が存在する印刷面の下部が最上面となる状態２２２に示す三つ折りが行われる。
【００５３】
図４は、印刷ジョブに係わる文書が横文書である場合におけるこの実施例１により自動決定される折モードを説明する図である。
【００５４】
図４（ａ）は、重要個所属性により横文書の印刷面の重要個所が右部に存在すると指定されている場合に、自動決定される折モードを示すもので、この場合は、折りモードとして「外折りＢ」が決定される。
【００５５】
この場合、図４（ａ）に示すように、まず、印刷面４０１を上にして、折り線４０４に沿って山折りされ、次に、折り線４０３に沿って谷折りされる。
【００５６】
これにより、重要個所が存在する印刷面の右部が最上面となる状態４０２に示す三つ折りが行われる。
【００５７】
図４（ｂ）は、重要個所属性により横文書の印刷面の重要個所が中部に存在すると指定されている場合に、自動決定される折モードを示すもので、この場合は、折りモードとして「内折りＢ」が決定される。
【００５８】
この場合、図４（ｂ）に示すように、まず、印刷面４０５を上にして、折り線４０８に沿って山折りされ、次に、折り線４０７に沿って山折りされる。
【００５９】
これにより、重要個所が存在する印刷面の中部が最上面となる状態４０６に示す三つ折りが行われる。
【００６０】
図４（ｃ）は、重要個所属性により横文書の印刷面の重要個所が左部に存在すると指定されている場合に、自動決定される折モードを示すもので、この場合は、折りモードとして「外折りＡ」が決定される。
【００６１】
この場合、図４（ｃ）に示すように、まず、印刷面４０９を上にして、折り線４１１に沿って山折りされ、次に、折り線４１２に沿って谷折りされる。
【００６２】
これにより、重要個所が存在する印刷面の左部が最上面となる状態４１０に示す三つ折りが行われる。
【００６３】
図５は、図１に示した印刷制御システム１００が実施例１の印刷制御を行う処理フローを示すフローチャートである。
【００６４】
図５において、まず、プリントサーバ３０は、ネットワーク２０を通して接続されたクライアントＰＣ１１からの印刷要求をジョブ受け付け部３１で受け付け、受け付けたジョブをジョブ管理部３２において管理する。
【００６５】
ジョブ管理部３２に管理された各ジョブは、ジョブ処理部３３によって該ジョブに係わる文書の文書属性に基づき該ジョブに係わる文書が縦文書であるか横文書であるかを判別するとともに、重要個所属性に基づき文書の重要個所の存在位置を解読する（ステップＳ−３１）。
【００６６】
ここで、重要個所とは、印刷した用紙を三つ折りした場合に、最上面にくる個所で、縦文書の場合は、文書中の上、中、下のいずれかを指定し、横文書の場合は文書中の右、中、左のいずれかが指定される。
【００６７】
ジョブ処理部３３は、上記ジョブの文書属性を解読すると、テーブル保存部３５に保存されている図６に示すような表１を参照して文書属性に対応した三つ折りの折モードを自動決定する（ステップＳ−３２）。
【００６８】
ここで、表１には、図６に示すように、重要個所属性により指定される縦文書の上、中、下および横文書の右、中、左に対応してそれぞれに適した折モードが記憶管理されており、例えば、縦文書で重要個所属性により指定される重要個所が上であると、「縦文書上」に対応する外折りＡが自動決定される。
【００６９】
ジョブ処理部３３で三つ折りの折モードが決定されると、プリンタ制御部３４により、この決定された三つ折りの折モード及び文書データに基づく印刷指示を後処理装置４１を備えたプリンタ４０に対して行う（ステップＳ−３３）。
【００７０】
プリンタ４０及び後処理装置４１は、プリンタ制御部３４からの印刷指示に基づいて文書を用紙に印刷し、印刷された用紙を指示された三つ折りの折モードに従って、三つ折りして排紙する（ステップＳ−３４）。
【実施例２】
【００７１】
実施例２においては、図１に示した印刷制御システム１００において、クライアントＰＣ１１から印刷ジョブに係わる文書の所定の個所にスタンプを付与する指示を行った場合に、このスタンプ個所が最上面になるように三つ折りの折モードを自動決定して印刷制御を行う。
【００７２】
ここで、スタンプとは、印刷する文書面上にその内容や用途により「社外秘」「ＣＯＰＹ」「Ｃｏｎｆｉｄｅｎｔｉａｌ」などの定型や任意の文字をスタンプ印刷するものである。
【００７３】
図７は、実施例２による折モードを説明するための説明図である。
【００７４】
図７（ａ）は、縦文書中に形成付与されたスタンプ位置が右上部に存在する場合に、自動決定される折モードを示すものである。
【００７５】
この場合、図７（ａ）に示すように、まず、印刷面５０を上にして、折り線５２に沿って山折りされ、次に、折り線５３に沿って谷折りされる。
【００７６】
これにより、スタンプ位置が存在する印刷面の右上部が最上面となる状態５１に示される三つ折りが行われる。
【００７７】
図７（ｂ）は、横文書中に形成付与されたスタンプ位置が右中部に存在する場合に、自動決定される折モードを示すものである。
【００７８】
この場合、図７（ｂ）に示すように、まず、印刷面６０を上にして、折り線６３に沿って山折りされ、次に、折り船６２に沿って谷折りされる。
【００７９】
これにより、スタンプ位置が存在する印刷面の右中部が最上面となる状態６１に示される三つ折りが行われる。
【００８０】
図８は、図１に示した印刷制御システム１００が実施例２で印刷制御を行う処理フローを示すフローチャートである。
【００８１】
図８において、まず、プリントサーバ３０は、ネットワーク２０を通して接続されたクライアントＰＣ１１からの印刷要求をジョブ受け付け部３１で受け付け、受け付けたジョブをジョブ管理部３２において管理する。
【００８２】
ジョブ管理部３２に管理された各ジョブは、ジョブ処理部３３によって該ジョブに係わる文書のスタンプ属性が解読される（ステップＳ−６１）。
【００８３】
そしてジョブ処理部３３により、上記ジョブのスタンプ属性を解読すると、テーブル保存部３５に保存されているスタンプを印刷指示された文書に形成付与することが行われ（ステップＳ−６２）、該ジョブに係わる文書の文書属性に基づき該ジョブに係わる文書が縦文書であるか横文書であるかを判別するとともに、形成付与されたスタンプの位置が解読される（ステップＳ−６３）。
【００８４】
ここで、スタンプの位置とは、図７（ａ）に示すように印刷面を９等分に右上、中上、左上、右中、中、左中、右下、中下、左下に分けた場所のいずれかに見て欲しいスタンプの情報が存在しているかを示すものである。
【００８５】
ジョブ処理部３３は、上記ジョブの文書属性を解読すると、縦文書の場合は（ステップＳ−６４でＹＥＳ）、テーブル保存部３５に保存されている図９に示すような表２を参照してスタンプ位置に対応した三つ折りの折モードを自動決定する（ステップＳ−６５）。  また、横文書の場合は（ステップＳ−６４でＮＯ）、テーブル保存部３５に保存されている図１０に示すような表３を参照してスタンプ位置に対応した三つ折りの折りモードを自動決定する（ステップＳ−６６）
ここで、表２には、図９に示すように、縦文書内のスタンプ位置に対応してそれぞれに適した折モードが記憶管理されており、例えば、縦文書でスタンプ位置が右上であると、「右上」に対応する外折りＡが自動決定される。
【００８６】
また、表３には、図１０に示すように、横文書内のスタンプ位置に対応してそれぞれに適した折モードが記憶管理されており、例えば、横文書でスタンプ位置が右中であると、「右中」に対応する外折りＢが自動決定される。
【００８７】
ジョブ処理部３３で三つ折りの折モードが決定されると、プリンタ制御部３４により、この決定された三つ折りの折モード及び文書データに基づく印刷指示を後処理装置４１を備えたプリンタ４０に対して行う（ステップＳ−６７）
プリンタ４０及び後処理装置４１は、プリンタ制御部３４からの印刷指示に基づいて文書を用紙に印刷し、印刷された用紙を指示された三つ折りの折モードに従って、三つ折りして排紙する（ステップＳ−６８）。
【実施例３】
【００８８】
実施例３においては、図１に示した印刷制御システム１００において、クライアントＰＣ１１から印刷ジョブに文書の拡張子の種類を付与し、機密文書や図面は三つ折りしたときに外から見えないように内折りにし、その他の文書を扱う時は三つ折りしたときに外から見えるように外折りにする目的で、原稿の拡張子に対応して三つ折りの折モードを自動決定して印刷制御を行う。
【００８９】
図１１は、文書内容を隠したいときの三つ折りと表に現したいときの三つ折りを文書の種類に応じて変更する実施例３を説明するための説明図である。
【００９０】
図１１（ａ）は、ｔｉｆの拡張子で表される画像や図面を扱うファイルが内側に三つ折りされる図である。
【００９１】
この場合、図１１（ａ）に示すように、まず、印刷面８０を上にして、折り線８４に沿って谷折りされ（状態８１）、次に、折り線８３に沿って谷折りされる。
【００９２】
これにより、原稿内容が折られている紙を開かないと見えない状態８２に示される三つ折りが行われる。
【００９３】
企業内の機密文書としてｄｄｄの拡張子で表現される文書にも、このような原稿内容を隠す折りモードが実行されるように設定されている。
【００９４】
図１１（ｂ）は、ｄｏｃの拡張子で表される文書を扱うファイルが外側に三つ折りされる図である。
【００９５】
この場合、図１１（ｂ）に示すように、まず、印刷面９０を上にして、折り線９３に沿って山折りされ（状態９１）、次に、折り線９４に沿って谷折りされる。
【００９６】
これにより、三つ折りされた状態の表面に現れている部分の原稿内容をみることができる状態９２に示される三つ折りが行われる。
【００９７】
図１２は、図１に示した印刷制御システム１００が実施例３で印刷制御を行う処理フローを示すフローチャートである。
【００９８】
プリントサーバ３０は、ネットワーク２０を通して接続されたクライアントＰＣ１１からの印刷要求をジョブ受け付け部３１で受け付け、受け付けたジョブをジョブ管理部３２において管理する。
【００９９】
ジョブ管理部３２に管理された各ジョブは、ジョブ処理部３３によって原稿のフォーマットである拡張子が取得され解読される（ステップＳ−９１）。
【０１００】
ジョブ処理部３３により、ジョブ内の文書の拡張子を解読すると、テーブル保存部３５に保存されている図１３に示すような表４を参照して文書拡張子に対応した三つ折りの折モードを特定する。
【０１０１】
表４には、図１３に示すように、ドキュメントの拡張子に対応した折り方の種類が記憶管理されている。
【０１０２】
例えば、拡張子がｄｏｃと指定された文書の拡張子を取得した場合は、表１３の文書の拡張子「ｄｏｃ」に対応する外折りＡを特定し、図１１（ｂ）に示したような外折りＡの折りモードを決定する（ステップＳ−９２）。
【０１０３】
ジョブ処理部３３で三つ折りの折モードが決定されると、プリンタ制御部３４により、この決定された三つ折りの折モード及び文書データに基づく印刷指示を後処理装置４１を備えたプリンタ４０に対して行う（ステップＳ−９３）。
【０１０４】
プリンタ４０及び後処理装置４１は、プリンタ制御部３４からの印刷指示に基づいて文書を用紙に印刷し、印刷された用紙を指示された三つ折りの折モードに従って、三つ折りして排紙する（ステップＳ−９４）。
【実施例４】
【０１０５】
実施例４においては、先に説明した三つの実施例を一体化させた処理について説明する。
【０１０６】
ここで、実施例１で説明した方法を印刷制御方法Ａ、実施例２で説明した方法を印刷制御方法Ｂ、実施例３で説明した方法を印刷制御方法Ｃという。
【０１０７】
この実施例で説明する三つの実施例を一体化させた処理とは、文書属性の内容に対応して、印刷制御方法Ａ、印刷制御方法Ｂ、印刷制御方法Ｃの印刷制御方法の中から一つの印刷制御方法を選択して実行する印刷制御方法であり、また、原稿の、重要個所属性情報と、スタンプ情報と、拡張子の種類との三つの情報を優先順位の元で考慮した印刷制御方法である。
【０１０８】
この印刷制御方法においては、図１に示した印刷制御システム１００において、クライアントＰＣ１１は印刷ジョブをプリントサーバ３０に送り、この印刷ジョブに含まれている拡張子に対応して印刷制御方法を選択する優先順位を取得し、実行できる印刷制御方法の内、優先順位の高い印刷制御方法を選択し実行することで、三つ折りの折りモードを自動決定して印刷制御を行う。
【０１０９】
図１４は、図１に示した印刷制御システム１００が実施例４で印刷制御を行う処理フローを示すフローチャートである。
【０１１０】
プリントサーバ３０は、ネットワーク２０を通して接続されたクライアントＰＣ１１からの印刷要求をジョブ受け付け部３１で受け付け、受け付けたジョブをジョブ管理部３２において管理する。
【０１１１】
ジョブ管理部３２に管理された各ジョブは、ジョブ処理部３３によって該ジョブに係わる文書の文書属性に基づき該ジョブに係わる文書が縦文書であるか横文書であるかを判別するとともに、文書の拡張子の種類を解読する（ステップＳ−１１０１）。
【０１１２】
文書の向きと拡張子の種類を解読すると、テーブル保存部３５に保存されている図１５に示すような表５を参照して文書属性に対応した印刷制御方法を選択する優先順位を取得する（ステップＳ−１１１０２）。
【０１１３】
表５には、図１５に示すように、文書の向きと拡張子の種類に対応した印刷制御方法を選択する優先順位が記憶管理されており、例えば、縦文書で拡張子の種類がｔｉｆであると、「Ｃ、Ｂ、Ａ」の印刷制御方法を選択する優先順位を取得する。
【０１１４】
そして、ステップＳ−１１０２で優先順位を取得すると、ジョブの文書属性に、重要箇所属性かスタンプ位置情報かが存在するかどうかを調べ、存在していればその情報を取得する（ステップＳ−１１０３）。
【０１１５】
そして、既にステップＳ−１１０１で取得した文書の向きと拡張子の情報とステップＳ−１１０３で取得した重要箇所属性かスタンプ位置情報かの情報とを使用して、印刷制御方法Ａ、印刷制御方法Ｂ、印刷制御方法Ｃのうちいずれの印刷制御方法が実行できるかどうかを調べる（ステップＳ−１１０４）。
【０１１６】
すなわち、印刷制御方法Ａを実行するには文書の向きと重要箇所属性が必要であり、印刷制御方法Ｂを実行するには文書の向きとスタンプ位置情報が必要であり、印刷制御方法Ｃを実行するには拡張子の種類が必要である。
【０１１７】
このようにステップＳ−１１０４において実行できる印刷制御方法を調べたら、ステップＳ−１１０２で取得した優先順位に照らし合わせて、実行できる印刷制御方法のうち優先順位の一番高い印刷制御方法を一つ選択する（ステップＳ−１１０５）。
【０１１８】
例えば、文書属性が、文書の向きは「縦文書」、重要箇所属性情報は「上」、スタンプ位置情報は「無し」、拡張子は「ｔｉｆ」である文書について、ジョブ処理部３３において印刷制御方法を一つ選択する処理の説明する。
【０１１９】
まず、ジョブ処理部３３において、文書属性として、文書の向きが「縦文書」、拡張子が「ｔｉｆ」の情報を取得する（ステップＳ−１１０１）。
【０１２０】
次に、テーブル保存部３５に記憶管理されている図１５の表５を参照して、「Ｃ、Ｂ、Ａ」の優先順位を取得する（ステップＳ−１１０２）。
【０１２１】
次に、文書属性として、重要個所属性は「上」、スタンプ位置情報は「無し」を取得する（ステップＳ１１０３）。
【０１２２】
次に、ステップＳ−１１０１で取得した文書の向きが「縦文書」、拡張子が「ｔｉｆ」の情報とステップＳ−１１０３において取得した重要個所属性は「上」、スタンプ位置情報は「無し」の情報により、実行できる印刷制御方法は、印刷制御方法Ａと印刷制御方法Ｃだけであると確認する（ステップＳ−１１０４）。
【０１２３】
そして、確認した印刷制御方法Ａ、印刷制御方法ＣをステップＳ−１１０２で取得した優先順位は「Ｃ、Ｂ、Ａ」に照らし合わせて、印刷制御方法Ｃを実行すると選択する（ステップＳ−１１０５）。
【０１２４】
以上のようにジョブ処理部３３において印刷制御方法が一つ決定されると、引き続きジョブ処理部３３において、決定された印刷制御方法が実行される。
【０１２５】
決定された印刷制御方法が実行されるときに必要な文書属性はステップＳ−１１０１、ステップＳ−１１０３において取得されているので、その情報をもとにジョブ処理部３３において、テーブル保存部３５に保存されているそれぞれの印刷制御方法に対応した表を参照して、三つ折りの折モードが特定される（ステップＳ−１１０６）。
【０１２６】
それぞれの印刷制御方法の処理については、印刷制御方法Ａは実施例１、印刷制御方法Ｂは実施例２、印刷制御方法Ｃは実施例３で説明した処理と同じなので、説明の便宜上詳細は省略する。
【０１２７】
このようにして、ジョブ処理部３３において実行する印刷制御方法が決定され、その印刷制御方法により三つ折りの折モードが特定されると、特定された三つ折りの折モード及び文書データをプリンタ制御部３４が後処理装置４１を備えたプリンタ４０に印刷指示する（ステップＳ−１１０７）。
【０１２８】
最後に、プリンタ４０及び後処理装置４１は、プリンタ制御部３４からの印刷指示に基づいて文書を用紙に印刷し、印刷された用紙を指示された三つ折りの折モードに従って三つ折りして排紙する（ステップＳ−１１０８）。
【産業上の利用可能性】
【０１２９】
この発明は、印刷済み用紙を三つ折りする紙折り装置を有する印刷装置を有する印刷制御環境において利用可能である。この発明によれば、印刷ジョブに係わる文書の重要個所属性、スタンプ位置若しくはフォーマットのいずれに応じて三つ折りの複数の折りモードのいずれかを自動選択して紙折り装置に指示するように構成したので、三つ折りを指示した印刷処理の操作性を向上させることができる。
【図面の簡単な説明】
【０１３０】
【図１】本発明を適用して構成した印刷制御システムの一実施例を示すブロック図である。
【図２】原稿を三つ折りする４種類の折り方法を示した模式図である。
【図３】縦文書である場合の実施例１による自動決定される折モードを説明する図である。
【図４】横文書である場合の実施例１による自動決定される折モードを説明する図である。
【図５】実施例１で印刷制御を行う処理フローを示すフローチャートである。
【図６】実施例１により三つ折りの折モードを選択するために使用する表１を示す図である。
【図７】実施例２による折りモードを説明するための説明図である。
【図８】実施例２で印刷制御を行う処理フローを示すフローチャートである。
【図９】実施例２により縦文書に対して三つ折りの折モードを選択するために使用する表２を示す図である。
【図１０】実施例２により横文書に対して三つ折りの折モードを選択するために使用する表３を示す図である。
【図１１】実施例３による折モードを説明するための説明図である。
【図１２】実施例３で印刷制御を行う処理フローを示すフローチャートである。
【図１３】実施例３により三つ折りの折モードを取得するために使用する表４を示す図である。
【図１４】実施例４で印刷制御を行う処理フローを示すフローチャートである。
【図１５】実施例４により印刷制御方法を選択する優先順位を取得するために使用する表５を示す図である。
【符号の説明】
【０１３１】
１１−１    クライアントＰＣ
２０    ネットワーク
３０    プリントサーバ
３１    ジョブ受け付け部
３２    ジョブ管理部
３３    ジョブ処理部
３４    プリンタ制御部
３５    テ−ブル保存部
４０    後処理装置を備えたプリンタ
４１    後処理装置
１００    印刷制御システム
【図１】
2005219868.tif 000003
【図２】
2005219868.tif 000004
【図３】
2005219868.tif 000005
【図４】
2005219868.tif 000006
【図５】
2005219868.tif 000007
【図６】
2005219868.tif 000008
【図７】
2005219868.tif 000009
【図８】
2005219868.tif 000010
【図９】
2005219868.tif 000011
【図１０】
2005219868.tif 000012
【図１１】
2005219868.tif 000013
【図１２】
2005219868.tif 000014
【図１３】
2005219868.tif 000015
【図１４】
2005219868.tif 000016
【図１５】
2005219868.tif 000017